(57)【特許請求の範囲】
【請求項１】
両端部にそれぞれ鉄筋コンクリート構造の連結ブロックを一体的に有し、両連結ブロック間の梁本体部はその外表面が適宜な材料からなるジャケットで被覆されている境界梁を形成し、この境界梁を２つの連層耐震壁の間に配設し、前記連結ブロックと前記連層耐震壁とをＰＣ鋼棒または高力ボルトで締め付けて一体的に結合することを特徴とする境界梁の構造。
【請求項２】
請求項１において、前記ジャケットで被覆された前記梁本体部は、充填鋼管コンクリート構造であることを特徴とする境界梁の構造。
【請求項３】
請求項１において、前記ジャケットで被覆された前記梁本体部は、プレキャストコンクリート構造の梁の周囲をＦＲＰジャケットで被覆したものであることを特徴とする境界梁の構造。
【請求項４】
請求項１において、前記ジャケットで被覆された前記梁本体部は、プレキャストコンクリート構造の梁の周囲にゴム材を巻いて被覆したものであることを特徴とする境界梁の構造。
【請求項５】
請求項１〜４のいずれかにおいて、前記連結ブロックと結合される前記連層耐震壁側には適宜なブラケットが取り付けられており、このブラケットと前記連結ブロックとがＰＣ鋼棒または高力ボルトで締め付けられて圧着されていることを特徴とする境界梁の構造。
【発明の詳細な説明】
【０００１】
【発明の属する技術分野】
この発明は、鉄筋コンクリート造の建物における連層耐震壁に挟まれた境界梁の構造に関し、とくに、大きな地震エネルギーを効果的に吸収する機能を境界梁に持たせる技術に関する。
【０００２】
【従来の技術】
鉄筋コンクリート造の建物を設計するにあたり、図１に示すように、連層耐震壁１を採用することで、他の部材が負担するせん断力を低減させ、スパンを大きくしたり部材を細くするという手法がある。この場合、隣り合う２つの連層耐震壁１をいくつかの境界梁２で連結するが、この境界梁２の特性により建物全体の耐震性能が大きく影響される。
【０００３】
【発明が解決しようとする課題】
この種の連層耐震壁１と境界梁２とを耐震要素とする高層あるいは超高層の建物では、図１にも表現されているように、大地震時には境界梁２の曲げ変形がきわめて大きくなる。この特性を積極的に利用し、大地震時に他の部材に先行して境界梁２を降伏させることで地震エネルギーを吸収し、他の部材の損傷を防止することが理論的には可能である。
【０００４】
しかし、境界梁２と連層耐震壁１とを鉄筋コンクリート構造で一体的に構築したのでは、大きな地震動を受けたときに、境界梁２の変形量が大きくなって、境界梁２の損傷がきわめて大きくなる。そのため、地震後の建物の復旧工事では、損傷の大きな境界梁２の補修や修復が困難になるという問題があった。また、大きな地震動を受けたときに、損傷を受ける境界梁２のかぶりコンクリートが剥落して危険だという問題もある。
【０００５】
この発明は前述した従来の問題点に鑑みなされたもので、その目的は、地震エネルギーを境界梁により効果的に吸収でき、また地震動により境界梁が損傷してもコンクリートの剥落をなくし、また損傷した境界梁を部材ごと容易に取り替えられるようにすることにある。
【０００６】
【課題を解決するための手段】
そこでこの発明では、両端部にそれぞれ鉄筋コンクリート構造の連結ブロックを一体的に有し、両連結ブロック間の梁本体部はその外表面が適宜な材料からなるジャケットで被覆されている境界梁を形成し、この境界梁を２つの連層耐震壁の間に配設し、前記連結ブロックと前記連層耐震壁とをＰＣ鋼棒または高力ボルトで締め付けて一体的に結合することとした（請求項１）。
【０００７】
この発明においては、前記ジャケットで被覆された前記梁本体部としては、▲１▼充填鋼管コンクリート構造（請求項２）、▲２▼プレキャストコンクリート構造の梁の周囲をＦＲＰジャケットで被覆した構造（請求項３）、▲３▼プレキャストコンクリート構造の梁の周囲にゴム材を巻いて被覆した構造（請求項４）などを適宜に採用できる。
【０００８】
またこの発明においては、前記連結ブロックと結合される前記連層耐震壁側には適宜なブラケットが取り付けられており、このブラケットと前記連結ブロックとがＰＣ鋼棒または高力ボルトで締め付けられて圧着されている構造を採用できる（請求項５）。
【０００９】
【発明の実施の形態】
この発明の一実施例による境界梁２の形態を図２に示している。この境界梁２は、外表面が適宜な材料からなるジャケット（鋼管）で被覆された充填鋼管コンクリート構造（ＣＦＴ）の梁本体部２０と、梁本体部２０の両端部にフランジ状に一体化された鉄筋コンクリート構造の連結ブロック２１とからなる。図２の右側の連結ブロック２１に付記しているように、ＣＦＴ梁本体部２０の鋼管のフランジ２０ａが連結ブロック２１の内部に広がっている。また図２の左側の連結ブロック２１に付記しているように、連結ブロック２１の内部には鉄筋カゴ２１ａが含まれている。また結合ブロック２１には、これを連層耐震壁と結合するためのＰＣ鋼棒や高力ボルトを通す多数の穴２２が形成されている。
【００１０】
図２で説明したＣＦＴタイプの境界梁２の建物への据え付け固定構造を図３に示している。図１で概説したように、隣り合う２つの連層耐震壁１をいくつかの境界梁２で連結する。図３は、境界梁２の一端の連結ブロック２１と連層耐震壁１の付帯柱１ａとの取付状態であり、反対側の連結ブロック２１も同様な構造で耐震壁付帯柱１ａに固定される。
【００１１】
図３に示すように、連結ブロック２１には梁と平行な多数の穴２２があいており、これら穴２２と同じ配列パターンで耐震壁付帯柱１ａにも多数の穴１１があいている。ここに高力ボルト３を通してナット４で締め付け固定している。なお、境界梁２の連結ブロック２１と耐震壁付帯柱１ａとの固定構造の他の例を図４、図５、図６にそれぞれ示している。
【００１２】
図４の実施例では、連結ブロック２１に形成されている多数の穴２２と同じ配列パターンで、耐震壁付帯柱１ａに多数の長ナット５が埋め込まれている。連結ブロック２１の穴２２を貫通させたボルト３を耐震壁付帯柱１ａの埋込み長ナット５に捩じ込んで締め付け固定している。
【００１３】
図５の実施例では、耐震壁付帯柱１ａの所定位置にブラケット６１を埋込みアンカー６２を介して取り付けておき、このブラケット６１の上に連結ブロック２１を載せるように据え付ける。梁と平行なボルト３と付帯柱１ａの埋込み長ナット５とナット４とによる締結構造は図４とほぼ同じである。加えてこの実施例では、連結ブロック２１の下面側に垂直に設けた埋込みアンカー６３とナット６４により連結ブロック２１とブラケット６１とを固定している。
【００１４】
図６の実施例では、耐震壁付帯柱１ａと一体に２個１組のブラケット７１と７２を設けている。ブラケット７１と７２は上下に所定間隔をおいて向い合っており、その間に横方向から差込むように連結ブロック２１を組み合わせる。そして、これら連結ブロック２１・上のブラケット７１・下のブラケット７２に多数の高力ボルト７３を通し（ボルト穴をあけておく）、ナット７４で締め付け固定する。なお、ブラケット７１・７２は鉄筋コンクリート構造、鉄骨鉄筋コンクリート構造、鉄骨構造のいずれでもよい。
【００１５】
【発明の効果】
この発明では、境界梁の梁本体部の外表面が適宜な材料からなるジャケットで被覆されているので、大きな地震時に境界梁が曲げによる損傷を受けても、梁のコンクリートが剥落することなく安全である。また、境界梁の両端の連結ブロックと連層耐震壁とをＰＣ鋼棒または高力ボルトで締め付けて一体的に結合しているので、地震によりこの連結部分が破壊されても、境界梁全体を部材ごと容易に取り替えることができる。つまり地震後の建物の補修が容易になる。また、梁本体部としてＣＦＴを採用したものでは、耐力・変形能力に優れるので、地震エネルギーの吸収能力に富む。さらに、結合部にブラケットを用いる構造によれば、境界梁の据え付け工事が楽になる。
【図面の簡単な説明】
【図１】連層耐震壁と境界梁とを耐震要素とする建物の概念図である。
【図２】この発明の一実施例による境界梁の斜視図である。
【図３】同上境界梁と連層耐震壁との固定構造の第１実施例を示す概略図である。
【図４】同上境界梁と連層耐震壁との固定構造の第２実施例を示す概略図である。
【図５】同上境界梁と連層耐震壁との固定構造の第３実施例を示す概略図である。
【図６】同上境界梁と連層耐震壁との固定構造の第４実施例を示す概略図である。
【符号の説明】
１  連層耐震壁
１ａ  耐震壁付帯柱
２  境界梁
３  高力ボルト
４  ナット
２０  梁本体部
２０ａ  鋼管フランジ
２１  連結ブロック
２１ａ  鉄筋カゴ
２２  穴
【図１】
0003669078.tif 000002
【図２】
0003669078.tif 000003
【図３】
0003669078.tif 000004
【図４】
0003669078.tif 000005
【図５】
0003669078.tif 000006
【図６】
0003669078.tif 000007